【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
第１形式のデータの描画オブジェクトを、第２形式の部分ＲＩＰ済みのイメージデータに変換する部分ＲＩＰ済みイメージデータ変換手段と、
第１形式のデータの描画オブジェクトを、第２形式のＲＩＰ済みのイメージデータに変換するＲＩＰ済みイメージデータ変換手段と、
バリアブルプリントデータに含まれる第１形式のデータの描画オブジェクトの属性に応じて、第１形式のデータの描画オブジェクトを、前記部分ＲＩＰ済みイメージデータ変換手段で第２形式のデータに変換するか、前記ＲＩＰ済みイメージデータ変換手段で第２形式のデータに変換するかを選択する選択手段と、
を有する画像処理装置。
【請求項２】
前記描画オブジェクトの属性とは、描画オブジェクトの生存期間であり、
前記選択手段は、第１形式のデータの描画オブジェクトの生存期間が第１の閾値よりも短い場合、前記部分ＲＩＰ済みイメージデータ変換手段で第１形式のデータの描画オブジェクトを第２形式のデータに変換すると選択し、第１形式のデータの描画オブジェクトの生存期間が第１の閾値以上の場合、前記ＲＩＰ済みイメージデータ変換手段で第１形式のデータの描画オブジェクトを第２形式のデータに変換すると選択する請求項１記載の画像処理装置。
【請求項３】
前記描画オブジェクトの属性とは、描画オブジェクトの描画エリアの面積であり、
前記選択手段は、第１形式のデータの描画オブジェクトの描画エリアの面積が第２の閾値より大きい場合、前記部分ＲＩＰ済みイメージデータ変換手段で第１形式のデータの描画オブジェクトを第２形式のデータに変換すると選択し、第１形式のデータの描画オブジェクトの描画エリアの面積が前記第２の閾値以下の場合、前記ＲＩＰ済みイメージデータ変換手段で第１形式のデータの描画オブジェクトを第２形式のデータに変換すると選択する請求項１記載の画像処理装置。
【請求項４】
第１形式のデータの描画オブジェクトを、第１形式のデータのコマンド記述を第２形式のデータのコマンド記述に変換することで第２形式のデータに変換する変換手段を更に有し、
前記選択手段は、バリアブルプリントデータに含まれる第１形式のデータの描画オブジェクトの属性に応じて、第１形式のデータの描画オブジェクトを、前記変換手段で第２形式のデータに変換するか、前記部分ＲＩＰ済みイメージデータ変換手段で第２形式のデータに変換するか、前記ＲＩＰ済みイメージデータ変換手段で第２形式のデータに変換するかを選択する請求項１記載の画像処理装置。
【請求項５】
前記描画オブジェクトの属性とは、描画オブジェクトの生存期間であり、
前記選択手段は、第１形式のデータの描画オブジェクトの生存期間が第３の閾値以下の場合、前記変換手段で第１形式のデータの描画オブジェクトを第２形式のデータに変換すると選択し、第１形式のデータの描画オブジェクトの生存期間が前記第３の閾値よりも長く、かつ、前記第１の閾値よりも短い場合、前記部分ＲＩＰ済みイメージデータ変換手段で第１形式のデータの描画オブジェクトを第２形式のデータに変換すると選択し、第１形式のデータの描画オブジェクトの生存期間が前記第３の閾値よりも長く、かつ、前記第１の閾値以上の場合、前記ＲＩＰ済みイメージデータ変換手段で第１形式のデータの描画オブジェクトを第２形式のデータに変換すると選択する請求項４記載の画像処理装置。
【請求項６】
前記描画オブジェクトの属性とは、描画オブジェクトの描画エリアの面積であり、
前記選択手段は、第１形式のデータの描画オブジェクトの描画エリアの面積が第４の閾値より大きい場合、前記変換手段で第１形式のデータの描画オブジェクトを第２形式のデータに変換すると選択し、第１形式のデータの描画オブジェクトの描画エリアの面積が前記第４の閾値以下、かつ、前記第２の閾値より大きい場合、前記部分ＲＩＰ済みイメージデータ変換手段で第１形式のデータの描画オブジェクトを第２形式のデータに変換すると選択し、第１形式のデータの描画オブジェクトの描画エリアの面積が前記第４の閾値以下、かつ、前記第２の閾値以下の場合、前記ＲＩＰ済みイメージデータ変換手段で第１形式のデータの描画オブジェクトを第２形式のデータに変換すると選択する請求項４記載の画像処理装置。
【請求項７】
第１形式のデータの描画オブジェクトを、第１形式のデータのコマンド記述を第２形式のデータのコマンド記述に変換することで第２形式のデータに変換する変換手段と、第１形式のデータの描画オブジェクトを、第２形式の部分ＲＩＰ済みのイメージデータに変換する部分ＲＩＰ済みイメージデータ変換手段と、
バリアブルプリントデータに含まれる第１形式のデータの描画オブジェクトの属性に応じて、第１形式のデータの描画オブジェクトを、前記変換手段で第２形式のデータに変換するか、前記部分ＲＩＰ済みイメージデータ変換手段で第２形式のデータに変換するかを選択する選択手段と、
を有する画像処理装置。
【請求項８】
第１形式のデータの描画オブジェクトを、第１形式のデータのコマンド記述を第２形式のデータのコマンド記述に変換することで第２形式のデータに変換する変換手段と、第１形式のデータの描画オブジェクトを、第２形式のＲＩＰ済みのイメージデータに変換するＲＩＰ済みイメージデータ変換手段と、
バリアブルプリントデータに含まれる第１形式のデータの描画オブジェクトの属性に応じて、第１形式のデータの描画オブジェクトを、前記変換手段で第２形式のデータに変換するか、前記ＲＩＰ済みイメージデータ変換手段で第２形式のデータに変換するかを選択する選択手段と、
を有する画像処理装置。
【請求項９】
バリアブルプリントデータに含まれる第１形式のデータの描画オブジェクトがグローバルリユーザブルオブジェクトであるか否かを判定する判定手段と、
前記判定手段によりバリアブルプリントデータに含まれる第１形式のデータの描画オブジェクトがグローバルリユーザブルオブジェクトでないと判定される場合、第１形式のデータの描画オブジェクトを第２形式の部分ＲＩＰ済みイメージデータ又は第２形式のコマンド記述データに変換し、
前記判定手段によりバリアブルプリントデータに含まれる第１形式のデータの描画オブジェクトがグローバルリユーザブルオブジェクトであると判定される場合、第１形式のデータの描画オブジェクトを第２形式のＲＩＰ済みイメージデータに変換する変換手段と、
を有する画像処理装置。
【請求項１０】
前記第１形式はＰＳ形式であり、前記第２形式はＰＤＦ形式である、請求項１乃至９何れか１項記載の画像処理装置。
【請求項１１】
画像処理装置が実行する画像処理方法であって、
第１形式のデータの描画オブジェクトを、第２形式の部分ＲＩＰ済みのイメージデータに変換する部分ＲＩＰ済みイメージデータ変換ステップと、
第１形式のデータの描画オブジェクトを、第２形式のＲＩＰ済みのイメージデータに変換するＲＩＰ済みイメージデータ変換ステップと、
バリアブルプリントデータに含まれる第１形式のデータの描画オブジェクトの属性に応じて、第１形式のデータの描画オブジェクトを、前記部分ＲＩＰ済みイメージデータ変換ステップで第２形式のデータに変換するか、前記ＲＩＰ済みイメージデータ変換ステップで第２形式のデータに変換するかを選択する選択ステップと、
を含む画像処理方法。
【請求項１２】
画像処理装置が実行する画像処理方法であって、
第１形式のデータの描画オブジェクトを、第１形式のデータのコマンド記述を第２形式のデータのコマンド記述に変換することで第２形式のデータに変換する変換ステップと、
第１形式のデータの描画オブジェクトを、第２形式の部分ＲＩＰ済みのイメージデータに変換する部分ＲＩＰ済みイメージデータ変換ステップと、
バリアブルプリントデータに含まれる第１形式のデータの描画オブジェクトの属性に応じて、第１形式のデータの描画オブジェクトを、前記変換ステップで第２形式のデータに変換するか、前記部分ＲＩＰ済みイメージデータ変換ステップで第２形式のデータに変換するかを選択する選択ステップと、
を含む画像処理方法。
【請求項１３】
画像処理装置が実行する画像処理方法であって、
第１形式のデータの描画オブジェクトを、第１形式のデータのコマンド記述を第２形式のデータのコマンド記述に変換することで第２形式のデータに変換する変換ステップと、
第１形式のデータの描画オブジェクトを、第２形式のＲＩＰ済みのイメージデータに変換するＲＩＰ済みイメージデータ変換ステップと、
バリアブルプリントデータに含まれる第１形式のデータの描画オブジェクトの属性に応じて、第１形式のデータの描画オブジェクトを、前記変換ステップで第２形式のデータに変換するか、前記ＲＩＰ済みイメージデータ変換ステップで第２形式のデータに変換するかを選択する選択ステップと、
を含む画像処理方法。
【請求項１４】
バリアブルプリントデータに含まれる第１形式のデータの描画オブジェクトがグローバルリユーザブルオブジェクトであるか否かを判定する判定ステップと、
前記判定ステップによりバリアブルプリントデータに含まれる第１形式のデータの描画オブジェクトがグローバルリユーザブルオブジェクトでないと判定される場合、第１形式のデータの描画オブジェクトを第２形式の部分ＲＩＰ済みイメージデータ又は第２形式のコマンド記述データに変換し、
前記判定ステップによりバリアブルプリントデータに含まれる第１形式のデータの描画オブジェクトがグローバルリユーザブルオブジェクトであると判定される場合、第１形式のデータの描画オブジェクトを第２形式のＲＩＰ済みイメージデータに変換する変換ステップと、
を含む画像処理方法。
【請求項１５】
前記第１形式はＰＳ形式であり、前記第２形式はＰＤＦ形式である、請求項１１乃至１４何れか１項記載の画像処理方法。
【請求項１６】
コンピュータを、
第１形式のデータの描画オブジェクトを、第２形式の部分ＲＩＰ済みのイメージデータに変換する部分ＲＩＰ済みイメージデータ変換手段と、
第１形式のデータの描画オブジェクトを、第２形式のＲＩＰ済みのイメージデータに変換するＲＩＰ済みイメージデータ変換手段と、
バリアブルプリントデータに含まれる第１形式のデータの描画オブジェクトの属性に応じて、第１形式のデータの描画オブジェクトを、前記部分ＲＩＰ済みイメージデータ変換手段で第２形式のデータに変換するか、前記ＲＩＰ済みイメージデータ変換手段で第２形式のデータに変換するかを選択する選択手段と、
して機能させるプログラム。
【請求項１７】
コンピュータを、
第１形式のデータの描画オブジェクトを、第１形式のデータのコマンド記述を第２形式のデータのコマンド記述に変換することで第２形式のデータに変換する変換手段と、第１形式のデータの描画オブジェクトを、第２形式の部分ＲＩＰ済みのイメージデータに変換する部分ＲＩＰ済みイメージデータ変換手段と、
バリアブルプリントデータに含まれる第１形式のデータの描画オブジェクトの属性に応じて、第１形式のデータの描画オブジェクトを、前記変換手段で第２形式のデータに変換するか、前記部分ＲＩＰ済みイメージデータ変換手段で第２形式のデータに変換するかを選択する選択手段と、
して機能させるプログラム。
【請求項１８】
コンピュータを、
第１形式のデータの描画オブジェクトを、第１形式のデータのコマンド記述を第２形式のデータのコマンド記述に変換することで第２形式のデータに変換する変換手段と、第１形式のデータの描画オブジェクトを、第２形式のＲＩＰ済みのイメージデータに変換するＲＩＰ済みイメージデータ変換手段と、
バリアブルプリントデータに含まれる第１形式のデータの描画オブジェクトの属性に応じて、第１形式のデータの描画オブジェクトを、前記変換手段で第２形式のデータに変換するか、前記ＲＩＰ済みイメージデータ変換手段で第２形式のデータに変換するかを選択する選択手段と、
して機能させるプログラム。
【請求項１９】
コンピュータを、
バリアブルプリントデータに含まれる第１形式のデータの描画オブジェクトがグローバルリユーザブルオブジェクトであるか否かを判定する判定手段と、
前記判定手段によりバリアブルプリントデータに含まれる第１形式のデータの描画オブジェクトがグローバルリユーザブルオブジェクトでないと判定される場合、第１形式のデータの描画オブジェクトを第２形式の部分ＲＩＰ済みイメージデータ又は第２形式のコマンド記述データに変換し、
前記判定手段によりバリアブルプリントデータに含まれる第１形式のデータの描画オブジェクトがグローバルリユーザブルオブジェクトであると判定される場合、第１形式のデータの描画オブジェクトを第２形式のＲＩＰ済みイメージデータに変換する変換手段と、
して機能させるプログラム。
【請求項２０】
前記第１形式はＰＳ形式であり、前記第２形式はＰＤＦ形式である、請求項１６乃至１９何れか１項記載のプログラム。
【手続補正２】
【補正対象書類名】明細書
【補正対象項目名】０００６
【補正方法】変更
【補正の内容】
【０００６】
本発明はこのような問題点に鑑みなされたもので、データサイズ及び処理時間に関して効率的にバリアブルプリントデータに含まれる第１形式のデータを第２形式のデータに変換することを目的とする。
【手続補正３】
【補正対象書類名】明細書
【補正対象項目名】０００７
【補正方法】変更
【補正の内容】
【０００７】
そこで、本発明の画像処理装置は、第１形式のデータの描画オブジェクトを、第２形式の部分ＲＩＰ済みのイメージデータに変換する部分ＲＩＰ済みイメージデータ変換手段と、第１形式のデータの描画オブジェクトを、第２形式のＲＩＰ済みのイメージデータに変換するＲＩＰ済みイメージデータ変換手段と、バリアブルプリントデータに含まれる第１形式のデータの描画オブジェクトの属性に応じて、第１形式のデータの描画オブジェクトを、前記部分ＲＩＰ済みイメージデータ変換手段で第２形式のデータに変換するか、前記ＲＩＰ済みイメージデータ変換手段で第２形式のデータに変換するかを選択する選択手段と、を有する。
【手続補正４】
【補正対象書類名】明細書
【補正対象項目名】０００８
【補正方法】変更
【補正の内容】
【０００８】
本発明によれば、データサイズ及び処理時間に関して効率的にバリアブルプリントデータに含まれる第１形式のデータを第２形式のデータに変換することができる。